(57)【特許請求の範囲】
【請求項１】
上面側に開口部を有する側面視横長方形状の箱状の収納部と、この収納部の前記開口部に開閉自在に設けた蓋部とから成り、前記収納部の後側下部に車輪を設け、前側にハンドル部を設け、このハンドル部を把持して上方に持ち上げ、前記収納部の前側を接地面から浮上させて前上がり傾斜状態にして前記車輪により牽引走行移動が可能となるように構成した牽引走行式収納ボックスにおいて、前記収納部は、外容器内に内容器を収納配設して形成される断熱二重容器に構成すると共に、前記外容器に前記ハンドル部を差し込み係合する差し込み孔を設け、前記内容器に前記差し込み孔に差し込み係合した前記ハンドル部を抜け止め保持する抜け止め保持部を設けた構成とし、前記ハンドル部は、屈曲自在な構成とすると共に、先端部に把持部を設け、基端部に係止部を設けた構成として、前記ハンドル部の前記係止部を前記差し込み孔に差し込み係合し抜け止め位置に移動させ、前記内容器を前記外容器内に収納配設すると、前記抜け止め保持部が前記係止部の前記差し込み孔からの離脱を阻止し、前記係止部の抜け止め状態が保持されて、前記収納部に前記ハンドル部が抜け止め状態に設けられるように構成したことを特徴とする牽引走行式収納ボックス。
【請求項２】
前記抜け止め保持部は、前記係止部を前記差し込み孔に差し込み係合し抜け止め位置に移動させた状態の前記外容器内に前記内容器を収納配設すると、前記係止部が抜け止め位置で当接する位置に配設されるように構成し、この抜け止め保持部に前記係止部が当接することで、この係止部の戻り移動が阻止され、前記係止部の抜け止め状態が保持されて、前記収納部に前記ハンドル部が抜け止め状態に設けられるように構成したことを特徴とする請求項１記載の牽引走行式収納ボックス。
【請求項３】
前記外容器と前記内容器とのいずれか一方に容器係止部を設け、他方にこの容器係止部と係合する容器係合部を設け、前記外容器内に前記内容器を収納配設して前記容器係止部と前記容器係合部とを係合係止することで、前記抜け止め保持部が前記係止部の戻り移動を阻止して抜け止め状態を保持する配設位置に位置決められるように構成したことを特徴とする請求項１，２のいずれか１項に記載の牽引走行式収納ボックス。
【請求項４】
前記係止部を前記差し込み孔に差し込み係合した状態で前記外容器内に前記内容器を収納配設すると、前記抜け止め保持部が前記係止部に当接してこの係止部を前記抜け止め位置に移動させると共に、当接状態を保持して前記抜け止め位置に移動した前記係止部の戻り移動を阻止し、この係止部を抜け止め位置で係止させて、前記収納部に前記ハンドル部が抜け止め状態に設けられるように構成したことを特徴とする前記１〜３のいずれか１項に記載の牽引走行式収納ボックス。
【発明の詳細な説明】
【技術分野】
【０００１】
本発明は、例えば魚釣りやキャンプ等のレジャーに携行するクーラーボックス等の収納ボックスにおいて、特に、牽引するためのハンドル部と車輪が設けられていて、ハンドル部を把持して上方に持ち上げて前上がり傾斜状態にすることで車輪による牽引走行移動が可能となる牽引走行式収納ボックスで関するものである。
【背景技術】
【０００２】
従来、この種の牽引走行式収納ボックスは、例えば特開平１０−２５０７７８号（特許文献１）のように、引き手を外箱部の一方の側面部に折り畳み回動収納可能に設けた構成としたものや、特開２０１０−１７３６６１号（特許文献２）のように、容器本体の所定対向側壁の一方の側壁の外側に引手収納カバーを設け、この引手収納カバーに対して、引き手を上方に出し入れ可能に設けると共に、前方に向かって傾倒回動可能に設けた構成としたものがある。
【先行技術文献】
【特許文献】
【０００３】
【特許文献１】特開平１０−２５０７７８号公報
【特許文献２】特開２０１０−１７３６６１号公報
【発明の概要】
【発明が解決しようとする課題】
【０００４】
しかしながら、従来の牽引走行式収納ボックスは、上述したようにハンドル部（引き手）の組み付け構造が複雑であり、また部品点数も多いことから容易に組み付けができず、組み立て時の作業工数が掛かってしまい生産性を低下させている問題がある。
【０００５】
本発明は、上述のような現状に鑑みなされたもので、ハンドル部を部品点数の少ない簡易な構成とすると共に、収納部に容易に組み付けられる構成として、工数が掛からず効率的に製造することができる牽引走行式収納ボックスを提供することを目的とする。
【課題を解決するための手段】
【０００６】
添付図面を参照して本発明の要旨を説明する。
【０００７】
上面側に開口部を有する側面視横長方形状の箱状の収納部１と、この収納部１の前記開口部に開閉自在に設けた蓋部２とから成り、前記収納部１の後側下部に車輪３を設け、前側にハンドル部４を設け、このハンドル部４を把持して上方に持ち上げ、前記収納部１の前側を接地面から浮上させて前上がり傾斜状態にして前記車輪３により牽引走行移動が可能となるように構成した牽引走行式収納ボックスにおいて、前記収納部１は、外容器５内に内容器６を収納配設して形成される断熱二重容器に構成すると共に、前記外容器５に前記ハンドル部４を差し込み係合する差し込み孔７を設け、前記内容器６に前記差し込み孔７に差し込み係合した前記ハンドル部４を抜け止め保持する抜け止め保持部８を設けた構成とし、前記ハンドル部４は、屈曲自在な構成とすると共に、先端部に把持部９を設け、基端部に係止部10を設けた構成として、前記ハンドル部４の前記係止部10を前記差し込み孔７に差し込み係合し抜け止め位置に移動させ、前記内容器６を前記外容器５内に収納配設すると、前記抜け止め保持部８が前記係止部10の前記差し込み孔７からの離脱を阻止し、前記係止部10の抜け止め状態が保持されて、前記収納部１に前記ハンドル部４が抜け止め状態に設けられるように構成したことを特徴とする牽引走行式収納ボックスに係るものである。
【０００８】
また、前記抜け止め保持部８は、前記係止部10を前記差し込み孔７に差し込み係合し抜け止め位置に移動させた状態の前記外容器５内に前記内容器６を収納配設すると、前記係止部10が抜け止め位置で当接する位置に配設されるように構成し、この抜け止め保持部８に前記係止部10が当接することで、この係止部10の戻り移動が阻止され、前記係止部10の抜け止め状態が保持されて、前記収納部１に前記ハンドル部４が抜け止め状態に設けられるように構成したことを特徴とする請求項１記載の牽引走行式収納ボックスに係るものである。
【０００９】
また、前記外容器５と前記内容器６とのいずれか一方に容器係止部11を設け、他方にこの容器係止部11と係合する容器係合部12を設け、前記外容器５内に前記内容器６を収納配設して前記容器係止部11と前記容器係合部12とを係合係止することで、前記抜け止め保持部８が前記係止部10の戻り移動を阻止して抜け止め状態を保持する配設位置に位置決められるように構成したことを特徴とする請求項１，２のいずれか１項に記載の牽引走行式収納ボックスに係るものである。
【００１０】
また、前記係止部10を前記差し込み孔７に差し込み係合した状態で前記外容器５内に前記内容器６を収納配設すると、前記抜け止め保持部８が前記係止部10に当接してこの係止部10を前記抜け止め位置に移動させると共に、当接状態を保持して前記抜け止め位置に移動した前記係止部10の戻り移動を阻止し、この係止部10を抜け止め位置で係止させて、前記収納部１に前記ハンドル部４が抜け止め状態に設けられるように構成したことを特徴とする前記１〜３のいずれか１項に記載の牽引走行式収納ボックスに係るものである。
【発明の効果】
【００１１】
本発明は上述のように構成したから、ハンドル部を構成する部品点数が少なく、且つ極めて容易にハンドル部を収納部に組み付けることができるので、作業工数が掛からず効率的に製造することができ、生産性の向上を図ることが可能となる画期的な牽引走行式収納ボックスとなる。
【図面の簡単な説明】
【００１２】
【図１】本実施例を示す斜視図である。
【図２】本実施例の使用状態を示す説明図である。
【図３】本実施例の収納部を示す分解斜視図である。
【図４】本実施例の小物収納ケースの取り付け状態を示す説明側断面図である。
【図５】本実施例の要部を示す説明側断面図である。
【図６】本実施例の要部を示す説明側断面図である。
【図７】本実施例の要部を示す説明側断面図である。
【発明を実施するための形態】
【００１３】
好適と考える本発明の実施形態を、図面に基づいて本発明の作用を示して簡単に説明する。
【００１４】
ハンドル部４の基端部に設けた係止部10を外容器５に設けた差し込み孔７に差し込み係合し、この差し込み係合した係止部10を差し込み孔７に対して抜け止め状態となる抜け止め位置に移動させた状態で、外容器５に内容器６を組み付けると、この内容器６に設けた抜け止め保持部８が、例えば係止部10と当接して係止部10の移動を阻止する、或いは差し込み孔７上に配設されてこの差し込み孔７の一部を閉塞して差し込み孔７を係止部10が挿通不可能な開口径にするなどして、係止部10を差し込み孔７から離脱できない状態にし、これにより、差し込み孔７に対して係止部10の抜け止め状態が保持され、ハンドル部４が収納部１に抜け止め状態（離脱不能な状態）で設けられることとなる。
【００１５】
この際、本発明のように収納部１を断熱二重容器に構成した場合、上記の外容器５に内容器６を組み付ける作業は、ハンドル部４の組み付け作業の有無にかかわらず一般的に行われる必須作業であるから、本発明におけるハンドル部４の組み付け作業は、単にハンドル部４の係止部10を差し込み孔７に差し込み係合して抜け止め位置に移動させるだけの極めて簡易な作業となる。
【００１６】
また、本発明は、ハンドル部４自体を屈曲自在に構成したので、ハンドル部４を収納部１に枢着しなくても、把持部９を把持して上方に持ち上げることでハンドル部４を上方に向かって引き上げ操作する構成を容易に実現でき、よって、特許文献１，２のような引き手（ハンドル部４）を回動自在に組み付けるための軸や軸受、或いは引き手（ハンドル部４）を上方に引き出す際のガイドとなるカバー等の部品を必要としないので、部品コストが掛からないうえに、組み付け作業も極めて容易となる。
【００１７】
このように、本発明は、ハンドル部４を構成する部品点数が少なく、且つ極めて容易にハンドル部４を収納部１に組み付けることができるので、作業工数が掛からず効率的に製造することができる画期的な牽引走行式収納ボックスとなる。
【実施例】
【００１８】
本発明の具体的な実施例について図面に基づいて説明する。
【００１９】
本実施例は、図１，２に示すような上面側に開口部を有する側面視横長方形状の箱状の収納部１と、この収納部１の前記開口部に開閉自在に設けた蓋部２とから成り、前記収納部１の後側下部に車輪３を設け、前側にハンドル部４を設け、このハンドル部４を把持して上方に持ち上げ、前記収納部１の前側（牽引方向）を接地面から浮上させて前上がり傾斜状態にして前記車輪３により牽引走行移動が可能となるように構成した牽引走行式収納ボックスである。
【００２０】
また、本実施例は、上記牽引走行式収納ボックスを、魚釣りの釣った魚を保管したり、キャンプなどのレジャーの際の食品、食材を保管するクーラーボックスとして構成した場合である。
【００２１】
以下、本実施例に係る構成各部について詳細に説明する。
【００２２】
本実施例の収納部１は、図３に示すように、外容器５内に内容器６を収納配設して形成される断熱二重容器に構成している。
【００２３】
具体的には、合成樹脂製の外容器５の内面に沿って発泡スチロール等の断熱部材13を配設し、この断熱部材13上に合成樹脂製の内容器６を収納配設した構成としている。
【００２４】
また、この収納部１を構成する外容器５は、前後方向の各側面部（短側面）の上部に持ち手部14を設けた構成とし、この持ち手部14は、側面部の上端部に水平方向に突設した鍔部15と、この鍔部15の先端部に垂設した垂下壁部16とから成る構成とし、収納部１を持ち上げる際は、この垂下壁部16に指先を引掛け係止して持ち上げるように構成している。
【００２５】
また、本実施例は、この持ち手部14、具体的には鍔部15に、この外容器５に組み付ける内容器６を位置決めするための位置決め凸条部17を設けた構成とし、更に、収納部１の前側に位置する持ち手部14には、ハンドル部４を装着するための差し込み孔７も設けた構成としている。
【００２６】
具体的には、この差し込み孔７は、鍔部15の板厚方向に貫通する貫通孔として形成し、本実施例では、この差し込み孔７を並設状態に二つ設けた構成としている。
【００２７】
また、本実施例の外容器５は、左右方向の各側面部（長側面）の上端部に、言い換えると開口部の対向する長辺開口縁部に、この外容器５に組み付ける内容器６を係止する容器係合部12を設け、更に左右の後側下角部の夫々に車輪３を配設した構成としている。
【００２８】
また、この外容器５と共に収納部１を構成する内容器６は、前後方向の各側面部（短側面）の上部に外容器５の持ち手部14と重合状態に係合する持ち手部重合片部18を水平方向に突設し、左右方向の各側面部（長側面）の上端部に、言い換えると開口部の対向する長辺開口縁部に、外容器５の容器係合部12に係合係止する容器係止部11を設け、更に、長辺開口縁部の一側に蓋部２を枢着する蓋枢着部19を設けた構成としている。
【００２９】
具体的には、各持ち手部重合片部18は、裏面側に外容器５の持ち手部14（鍔部15）表面に形成した位置決め凸条部17と係合する位置決め凹条部20を形成し、表面側に後述する小物収納ケース21を掛け止めるための係止溝22を形成した構成とし、本実施例の係止溝22は、この持ち手部重合片部18の厚さ方向に貫通する抜き溝を形成し、この抜き溝の裏面側開口部を位置決め凹条部20とし、表面側開口部を係止溝22とした構成としている。
【００３０】
また、本実施例は、この持ち手部重合片部18に、外容器５の差し込み孔７に差し込み係合したハンドル部４を抜け止め保持する抜け止め保持部８を設けた構成としている。
【００３１】
具体的には、この抜け止め保持部８は、ハンドル部４を差し込み孔７に差し込み係合し抜け止め位置に移動させた状態の外容器５内に内容器６を収納配設した際に、ハンドル部４が抜け止め位置で当接する位置に配設されるように構成し、本実施例は、このハンドル部４が抜け止め位置に位置する状態でこのハンドル部４に抜け止め保持部８を当接させることで、ハンドル部４の差し込み孔７に対する抜け止め状態を保持する構成としている。
【００３２】
より具体的には、抜け止め保持部８は、外容器５内に内容器６を収納配設し、容器係止部11を容器係合部12に係合係止すると、差し込み孔７に差し込み係合したハンドル部４の抜け止め位置からの戻り移動を阻止して抜け止め状態を保持する配設位置に位置決められるように構成している。
【００３３】
更に詳細に説明すると、本実施例の抜け止め保持部８は、先端部に差し込み孔７に係合する突出部８Ａを設けた構成とし、外容器５内に内容器６を収納配設し、容器係止部11を容器係合部12に係合係止すると、この突出部８Ａが差し込み孔７に係合して、差し込み孔７の隙間を埋めてハンドル部４が抜け落ちない大きさにすると共に、ハンドル部４が移動する空間を塞ぎ、ハンドル部４を移動不能にしてこのハンドル部４の差し込み孔７からの抜け落ち落ちによる離脱を阻止する構成としている。
【００３４】
また、本実施例のハンドル部４は、ハンドル部４は、屈曲自在な構成とすると共に、先端部に把持部９を設け、基端部に係止部10を設けた構成としている。
【００３５】
具体的には、ハンドル部４は、合成樹脂製の肉厚部と肉薄部とを交互に連設し、肉薄部を起点に屈曲する帯状の屈曲部23の先端部に環状に形成した把持部９を設け、基端側に先端部を鉤状に形成した係止部10を設けた構成とし、この係止部1は、屈曲部23の幅方向両端部に夫々設けた構成としている。尚、本実施例は、この屈曲部23と把持部９及び係止部10を成型加工により一体に成形した構成とし、ハンドル部４を１パーツから成る構成としている。
【００３６】
また、本実施例は、例えば釣り餌や釣り糸等の釣り道具を分別して収納できるよう仕切り板で仕切られた複数の小収納部を有する小物収納ケース21を具備した構成としている。
【００３７】
具体的には、この小物収納ケース21は、図３に示すように、収納部１の開口部の開口縁の対向する長辺部間に架設状態に収納配設し得る構成とすると共に、図４に示すように、収納部１の外部、具体的には、内容器６の持ち手部重合片部18に着脱自在に装着し得る構成として、蓋部２を閉じている状態でも小物収納ケース21だけを外部に出して使用することができるように構成している。
【００３８】
より具体的には、小物収納ケース21は、収納部１の外部に装着する際の係合係止部24を設けた構成とし、この係合係止部24は、収納部１を構成する内容器６の持ち手部重合片部18に設けた係止溝22に係合係止する上部係合係止部24Ａと、収納部１を構成する外容器５の持ち手部14の垂下壁部16の先端部に係合係止する下部係合係止部24Ｂとから成る構成とし、本実施例は、この下部係合係止部24Ｂを弾性変形自在な部材で形成し、垂下壁部16に弾圧係止する構成としている。
【００３９】
次に、本実施例のハンドル部４の組み付け手順と作用効果について説明する。
【００４０】
先ず、図５，６に示すよう、持ち手部14の裏面側からハンドル部４の係止部10を差し込み孔７に差し込み、この差し込み孔７に差し込んだ後、係止部10を差し込み孔７の開口縁25に係合する抜け止め位置に移動させて仮抜け止め状態にする。
【００４１】
次いで、内面に断熱部材13を配設した外容器５内に内容器６を収納配設し、容器係止部11と容器係合部12とを係合係止して、外容器５と内容器６とを組み付ける。
【００４２】
この外容器５と内容器６とを組み付ける際の容器係止部11と容器係合部12との係合係止及び外容器５の持ち手部14（鍔部15）に設けた位置決め凸条部17と内容器６の持ち手部重合片部18に設けた位置決め凹条部20との係合により、外容器５に対する内容器６の組み付け位置が位置決められ、これにより内容器６に設けた抜け止め保持部８が所定位置に位置決めされて配設される。
【００４３】
具体的には、抜け止め保持部８は、図７に示すように、差し込み孔７の開口縁に係合した抜け止め位置に位置するハンドル部４の係止部10に当接すると共に、先端部に設けた突出部８Ａが係止部10の移動空間となる差し込み孔７の余り部に係合して、係止部10の戻り移動を阻止してこの係止部10の抜け止め状態を保持する位置に配設される。
【００４４】
この係止部10が差し込み孔７に対して抜け止め状態となることで、ハンドル部４が収納部１に引き抜き不能な状態で垂設状態に組み付けられる。
【００４５】
このように、本実施例におけるハンドル部４の組み付け作業は、収納部１を組み付ける作業の途中で、単にハンドル部４の係止部10を外容器５の差し込み孔７に差し込み係合して抜け止め位置に移動させるだけの極めて簡易な作業となる。
【００４６】
また、本実施例は、ハンドル部４自体を屈曲自在に構成したので、ハンドル部４を収納部１に枢着しなくても、把持部９を把持して上方に持ち上げることで屈曲部23が屈曲してハンドル部４（把持部９）を上方に向かって引き上げ操作する構成を容易に実現でき、よって、従来のように引き手（ハンドル部４）を回動自在に組み付けるための軸や軸受、或いは引き手（ハンドル部４）を上方に引き出す際のガイドとなるカバー等の部品を必要としないし、これらを組み付ける作業もないので、部品コストが掛からないうえに、組み付け作業も極めて容易となる。
【００４７】
このように、本実施例は、ハンドル部４を構成する部品がわずか１点と非常に少なく、且つ係止部10を差し込み孔７に差し込んで抜け止め位置に移動させるだけの極めて簡易な作業で容易にハンドル部４を収納部１に組み付けることができるので、作業工数が掛からず効率的に製造することができる画期的な牽引走行式収納ボックスとなる。
【００４８】
また更に、本実施例は小物収納ケース21を具備し、この小物収納ケース21は、収納部１を蓋部２で閉塞した状態でも、収納部１の外側の持ち手部重合片部18に係止して一々蓋部２を開閉しなくても釣り餌や釣道具などの小物を容易に出し入れすることができるので、非常に使い勝手が良く実用性に優れた牽引走行式収納ボックスとなる。
【００４９】
尚、本発明は、本実施例に限られるものではなく、各構成要件の具体的構成は適宜設計し得るものである。
【符号の説明】
【００５０】
１  収納部
２  蓋部
３  車輪
４  ハンドル部
５  外容器
６  内容器
７  差し込み孔
８  抜け止め保持部
９  把持部
10  係止部
11  容器係止部
12  容器係合部
【図１】
0005968392.tif 000002
【図２】
0005968392.tif 000003
【図３】
0005968392.tif 000004
【図４】
0005968392.tif 000005
【図５】
0005968392.tif 000006
【図６】
0005968392.tif 000007
【図７】
0005968392.tif 000008